(57)【要約】  着座及び／又は横臥家具（１）には、少なくとも１つの背もたれ（３，４）または肘掛けが、例えばレールと該レールに沿って走行するキャリッジとによって、背もたれが家具の着座面及び／又は横臥面（２）に沿って調節可能であって、この場合、着座面及び／又は横臥面の周囲に背もたれ（３，４）の湾曲により適合するように配置されている。
2007514453.tif 000002
【特許請求の範囲】
【請求項１】
着座面及び／又は横臥面（２）と、これに結合された少なくとも１つの背もたれ（３，４）または肘掛けを備えた家具であって、前記背もたれまたは肘掛けは、着座面及び／又は横臥面に対して、着座面及び／又は横臥面の種々様々な周囲領域に位置することができるように調節可能である形式のものにおいて、
少なくとも１つの背もたれ（３，４）または肘掛けが、複数の枢着結合されたエレメント（１０）及び／又は調節方向でフレキシブルな単数又は複数のエレメントから形成されており、制御手段（１２，１６，１８）による調節の際に、背もたれ又は肘掛けが調節経路に沿って、または少なくとも調節経路の一部に沿って、着座面及び／又は横臥面（２）の周囲輪郭にほぼ適合するように曲がるように背もたれ又は肘掛けに影響を与えることができることを特徴とする家具。
【請求項２】
着座面及び／又は横臥面（２）が、凹状および凸状に延びる周囲輪郭（３０，３１，３２）を有している、請求項１記載の家具。
【請求項３】
少なくとも１つの背もたれ又は肘掛けが、着座面及び／又は横臥面の全周に沿って位置決め可能である、請求項１又は２記載の家具。
【請求項４】
２つの別個に位置決め可能な背もたれ（３，４）または肘掛けを有している、請求項１から３までのいずれか１項記載の家具。
【請求項５】
少なくとも１つの背もたれ（３，４）又は肘掛けが、複数の別個の剛性的な部分（２０）から形成されていて、これらの部分（２０）はヒンジ（１５）によって調節方向に枢着的に互いに結合されていて、所属のクッションと共にそれぞれ１つのエレメント（１０）を形成しており、少なくとも１つの背もたれ（３，４）または肘掛けが特に５つまたは７つのエレメント（１０）から形成されている、請求項１から４までのいずれか１項記載の家具。
【請求項６】
少なくとも１つの背もたれ（３，４）または肘掛けが、着座面及び／又は横臥面（２）を部分的にカバーしている、請求項１から５までのいずれか１項記載の家具。
【請求項７】
少なくとも１つの背もたれ（３，４）または肘掛けが、着座面及び／又は横臥面の周面（５）をカバーしており、特に完全にカバーしている、請求項１から６までのいずれか１項記載の家具。
【請求項８】
制御手段（１２，１６，１８）がほぼ着座面の下側に配置されている、請求項１から７までのいずれか１項記載の家具。
【請求項９】
制御手段が背もたれ（３，４）又は肘掛けも支持しており、寄り掛かる際に生じる力に抗して支持する、請求項１から８までのいずれか１項記載の家具。
【請求項１０】
制御手段が、背もたれ（３，４）または肘掛けの所望の形状の湾曲を規定するレール（１２）を有している、請求項１から９までのいずれか１項記載の家具。
【請求項１１】
レール（１２）が、着座面の周囲輪郭とほぼ同じ延在を有しており、特に１つの閉じられたレールである、請求項１０記載の家具。
【請求項１２】
レールが、着座面及び／又は横臥面の下部構造の部分であり、特に支柱（１３）とともに家具のベースを形成している、請求項１０記載の家具。
【請求項１３】
各背もたれ又は肘掛けにおける制御手段が、レール（１２）に沿って滑動または転動する複数のキャリッジ（１６）を有しており、これらのキャリッジは背もたれ又は肘掛けの異なるエレメントにそれぞれ固定されている、請求項１から１２までのいずれか１項記載の家具。
【請求項１４】
キャリッジが、レールの両側およびレールの上側で、レールに当接するプラスチック滑動部分（１８）を有しており、特にレールの下側に係合する１つの別のプラスチック滑動部分（１９）を有している、請求項１３記載の家具。
【発明の詳細な説明】
【技術分野】
【０００１】
背景
本発明は、請求項１の上位概念に記載の形式の着座面及び／又は横臥面を有した家具に関する。
【０００２】
背景技術
ＷＯ０３／０３０６８９号特許明細書により公知のソファでは、単数又は複数の背もたれが円弧区分状のレールに沿って調節可能である。ＥＰ−Ａ３０９０２１号明細書には同様に、種々様々に位置決め可能な個々の背もたれを備えたソファが開示されている。ＤＥ−Ｕ２０２１７８０９号明細書には、ソファの個々に旋回可能な背もたれが開示されており、これらの背もたれは１つのレールに沿って摺動可能および位置決め可能である。ＵＳ−Ａ２００３／００６１６５５特許明細書により、旋回可能で、選択的に一方又は他方の長手方向側で位置決め可能な背もたれを備えたソファ又はベッドが公知である。ＤＥ−Ｕ８９０１７６２号明細書には、旋回可能で剛性的な２つの背もたれ部分を備えたソファが示されており、これらの背もたれ部分は、円弧状の着座面に形状が適合するように構成されていて、この着座面の種々異なる位置で位置決め可能である。これにより座ることができる部分を１８０°変更することができる。最後に、ＤＥ−Ｕ９４０４７５８号明細書には固定された背もたれを備えたソファが示されている。この背もたれにはクッションが調節可能に固定されている。
【０００３】
発明の開示
本発明の根底を成す課題は、種々様々に位置決め可能な背もたれ又は肘掛けを備えた着座家具または横臥家具を改良することである。
【０００４】
この課題は、請求項１の特徴部に記載の特徴を備えた冒頭で述べた形式の家具により解決される。
【０００５】
少なくとも１つの背もたれまたは肘掛けがそれ自体枢着的に及び／又はフレキシブルに形成されていて、背もたれまたは肘掛けが位置決めの際に着座面に沿って制御され、着座面に適合されることにより、着座面の形状はほぼ自由に選択することができ、そのうえ、背もたれは着座面もしくは横臥面の任意の位置で位置決めすることができる。着座面の輪郭を単純な円弧状のものに限定する必要はなく、着座面の周囲は、背もたれまたは肘掛けが位置決め可能であるところで、凹状又は凸状に延びる区分を有していて良い。
【０００６】
有利な構成では、着座面は凹状に（湾入して）または凸状に（湾出して）延びる周囲輪郭の区分を有していて、有利には単数又は複数の背もたれは着座面もしくは横臥面の全周に沿って位置決め可能である。これにより１８０°異なる着座方向および自由着座面の種々様々な形状を備えたソファが得られる。有利には、背もたれは着座面に被さる。背もたれが着座面の端面をカバーし、特に完全にカバーしても有利である。このようにして、背もたれの可撓運動を制御する制御手段を見えなくすることができる。このことは特に、制御手段が着座面の下方に配置されている場合に得られる。制御手段としては、有利には少なくとも１つのレールが設けられていて、このレールに沿って各背もたれにつき、背もたれに結合された少なくとも２つのキャリッジが滑動または転動するように運動可能である。有利には制御手段は、摺動時の背もたれの曲げ運動を制御するだけでなく、背もたれを支持し、家具の使用者がもたれる際に背もたれに加えられる力に抗して支持する。有利にはさらに、各背もたれが５〜７つのエレメントから形成されている。
【０００７】
発明の実施の形態
本願には本発明の有利な実施例を記載するが、本発明はこれに限定されるものではなく、従属請求項の範囲内の別の形態でも実施することができる。
【０００８】
図１〜図３には、本発明による着座及び／又は横臥家具の一実施例がソファとして概略的に示されている。これは有利な一実施例であるが、純然たる横臥家具（ベッド）または大きさ的に横になることはできない小さな着座家具としての構成も可能である。図示されたソファ１はシート面２を有しており、このシート面２は脚８を備えた下部フレームの上にある。図示した実施例では２つの背もたれ３，４が設けられているが、これは１つだけの背もたれが設けられていても、２つ以上の背もたれが設けられていても良いので、単に一例として理解されたい。本発明によれば、背もたれはソファの周囲５の種々様々な領域に位置することができ、調節経路に沿って曲がり、着座面及び／又は横臥面の周囲の形状もしくは周囲輪郭に適合する。図１〜図３によりこのことが良好に示されている。この場合、背もたれ３，４は図１の位置から、ここに示した矢印の方向に摺動されて、背もたれ３は縁部５の区分３２の著しく湾曲した周囲輪郭に相応して曲がり、着座面及び／又は横臥面の形状に相応に適合する。同じことが背もたれ４においても行われ、背もたれ４は比較的著しく湾曲されてはいないが同様に凸状に湾曲された縁部の区分３１の周囲輪郭に適合する。図２の背もたれの位置から、背もたれは図２の矢印の方向で摺動され、これにより背もたれ４は図３に示された位置に戻され、背もたれ３はさらに周囲５に沿って摺動され、周囲の凹状に延びる領域３０に到り、これにも適合する。勿論、背もたれのための図示の位置は単なる例として理解されるものであり、有利には各背もたれが完全に、着座面及び／又は横臥面２の周りを摺動し、全摺動経路において摺動経路の周囲輪郭に適合する。これにより例えば図３から出発して背もたれ４は再び、図３に示した矢印に従って、背もたれ３に接続されるまで摺動することができる。これにより、再び図１のように閉じられた連続した背もたれを有するソファが形成されるが、背もたれも１８０°異なる位置へと摺動されているので着座位置は１８０°異なっている。単数又は複数の背もたれの摺動経路を制限することもできるが、上述したように、着座面及び／又は横臥面の周囲を完全に摺動できると有利である。単数又は複数の背もたれが固定されて配置されていて、１つだけの別の又は複数の別の背もたれが、周囲の輪郭に適合して摺動可能である構成も可能である。
【０００９】
有利には、背もたれは、複数の枢着結合されたエレメント１０から成っている。これらのエレメント１０は、制御手段によって外周輪郭に沿って摺動する際に輪郭に適合することができる。
【００１０】
図４には、既に図１〜図３で説明した実施例の一部が同様に概略的に断面図で示されている。この場合、着座面及び／又は横臥面２の区分３０，３１の間の面が見えるようになっている。これによりこれが、着座面及び／又は横臥面２のクッション縁部４２の一部である面３３であることがわかる。内部クッション４３は図４には示されておらず、プレート２″上の切欠２′内に位置している。部分的にのみ示した背もたれ４はこの図では面３３まで摺動されていて、その側面７が見えている。背もたれ４は有利には、着座面及び／又は横臥面２を越えて、特に縁部４２を越えて延びているので、この縁部４２は背もたれによってカバーされる。背もたれが着座面及び／又は横臥面２の周面５もカバーしていて、これにより周面５は背もたれが存在していないところでのみ見えるようになっているとさらに有利である。図４に示したように、背もたれ４はキャリッジ１６に固定されている。キャリッジ１６のうち図４では一部のみが見えていて、このキャリッジ１６はレール１２に沿って転動または滑動して摺動可能であり、背もたれのキャリッジ１６の摺動によりレールの形状が加工される、もしくは背もたれがレールの形状に相応に湾曲される。これによりレール１２およびこれに属するキャリッジ１６はこの例では、各背もたれに曲げ影響を与えるための制御手段である。
【００１１】
図５〜図９には、この家具の相応に有利な構成が詳しく示されている。この場合、図５は家具の下部フレームを示しており、この下部フレームでは、レール１２が閉じられたレールとして完全に下部フレームを巡って延びており同時に下部フレームの支持エレメントを形成している。これは１つの有利な実施例である。レール１２は、下部フレームの別の支持エレメント上に又は別の支持エレメントに固定されている別個のエレメントであっても良い。単数又は複数の背もたれが部分的にのみ摺動できるようにしたい場合には、レールを閉じなくても良く、レールは所望の摺動経路部分にわたってのみ延びている。図５には、種々様々な凸状区分および凹状区分を有したレールの形状が示されている。勿論このような形状も単なる例として理解されたい。本発明による背もたれの可撓性により、背もたれの可能な湾曲性の範囲で基本的に自由な形状付与が可能である。形状付与はさらに、互いに枢着結合されるエレメントの数および幅、フレキシブルなエレメントの可撓性にも依存している。これについてはさらに説明する。家具の下部フレームは、図示の構成では、レールの他に、レールに結合された支柱１３と、着座面及び／又は横臥面２もしくはそのプレート２´´のための上方に向かって延びている支持体１４とから成っている。さらに脚８が下部フレームに固定されている。図５には、１つの背もたれ３の構造が示されている。この場合、背もたれ３は５つの剛性的なエレメント２０から成っている。これらのエレメント２０は摺動方向で互いに枢着的に運動可能にヒンジ１５によって互いに結合されていて、この図ではヒンジの１つがエレメント２０から外された状態で示されている。このことは図６に明瞭に示されている。枢着結合のための別の公知の手段によって代替することもできるヒンジ１５により、背もたれ３の剛性的な背面部分２０を互いに屈曲させることができ、これにより背もたれ３はレール１２の図示の形状、ひいては着座面及び／又は横臥面の周囲の輪郭にも適合することができる。これにより、レール１２の延在の形状は通常、着座面及び／又は横臥面の周囲の輪郭と同じにされる。しかし所望とあらば、レールの形状が、着座面及び／又は横臥面２の形状とは異なっていても良く、この場合、背もたれは所定の位置で着座面の形状にほぼ適合するのみである。しかしながら、背もたれによる着座面の有利な前述のカバーにより、着座面２と背もたれとの間に不都合な孔は生じない。
【００１２】
図５と後続の図にはさらにキャリッジ１６が示されている。このキャリッジ１６は剛性的な背もたれ部分２０に固定されていて、このキャリッジ１６の他方のフック状の端部２２にはレール１２が係合する。１つの背もたれにつき通常少なくとも３つのキャリッジ１６が設けられている。即ち、各端部側と中央側である。これによりレール１２とキャリッジ１６とによって形成された制御手段は背もたれをできるだけ正確にレールに従って湾曲させ、もしくは枢着的に調節できる。より多くののキャリッジを設けることもでき、これにより例えば各部分２０に固有のキャリッジを設けることもできる。図５に示した背もたれ３は５つの部分２０を有しており、この図示されていない背もたれ４は、図１〜図３に示されているように７つの部分２０もしくはエレメント１０を有している。通常、家具のエレメント１０の数は、エレメント２０の数に一致している。図５によりさらに、背もたれの端部領域を形成する両部分２０に、側方部分１７が設けられていることがわかる。この側方部分は、相応のクッションを設け、カバー材料によりカバーした後、各背もたれの側面７を形成する。図示された剛性的な背もたれ部分２０の他に勿論、各背もたれはクッションとカバー材料とを有している。このカバー材料は公知のように快適な背もたれを形成する。クッションは各背もたれのために１つの部分として設けることができ、勿論弾性を有していなければならず、圧縮可能でなければならない。これによりクッションは剛性的な部分２０の制御手段により規定された運動に追従することもできる。クッションは複数の個別部分から成っていても良く、例えば各背もたれ部分２０のために個々のクッション部分を有していても良い。カバー材料も、一体のクッションまたは複数の部分から成るクッションに応じて選択される。有利には、個々のクッション部分４４は相応のキルティング加工または縫い目４５（図１参照）によって互いに部分的に分割され、視覚的にも分離された部分として見える。
【００１３】
従って剛性的な部分２０は人が寄り掛かることに対して実質的には撓まない背もたれ、若しくはクッションだけが撓む背もたれを形成する。
【００１４】
剛性的な部分２０の代わりに、または枢着結合された複数の剛性的な部分２０と組み合わせて、摺動方向では可撓的であり、人が寄り掛かる際に生じる力に対してはできるだけ剛性的な単数又は複数のフレキシブルな背もたれ部分を使用することもできる。相応の背もたれ部分はプラスチック及び／又は合成材料または金属から形成することができる。レールとキャリッジとを備えた図示した制御手段の代わりに、勿論、ロッドの長さが変化するロッド構造の背もたれをガイドもしくは制御することもできる。ロッド長さはこの場合、例えば単数又は複数の制御カーブによって適合され、これによりこのようにして、背もたれの形状の制御を、着座面及び／又は横臥面２の周囲輪郭に合わせて行うことができる。
【００１５】
図６〜図９には、例えば金属部分から成るキャリッジ１６が剛性的な部分２０にどのように固定されているか、有利にはＰＯＭプラスチックから成る滑動部分１８が、レール１２に被さるキャリッジ１６の保持部分２２にどのように配置されているかが示されている。キャリッジ１６の固定個所２３には、同様にプラスチック滑動部分として形成されている固定部分１９を固定することができ、この固定部分はレールに下方から係合する。これにより背もたれはレールから外れないように固定されている。滑動部分の代わりにローラやボールが設けられていても良い。
【００１６】
図示した構成では、レール１２を備えた制御手段のキャリッジ１６は同時に、人が寄り掛かる際に背もたれ３，４に加えられる力に抗して背もたれ３，４のための支持部を成す。しかしながらこのような機能は、図４に一方ではレール１２′によって示したように制御機能と分割することもできる。レール１２′は付加的な別個のレールとして背もたれを支持し、これによりレール１２は制御機能だけを果たす。支持のための考えられる別の手段は、例えばボール状のローラによって、ソファが設置されている面に支持される脚３８を背もたれに設けることである。この場合もレール１２は制御機能だけを果たし、支持は、背もたれごとに複数の脚３８を介して行われる。しかし、制御手段としておよび背もたれのための支持手段としてレール１２とキャリッジ１６の機能が組み合わせられると有利である。
【００１７】
勿論、着座面の下に、制御手段、もしくはこの例ではレール１２を配置することは単なる例として理解されたい。制御手段はレールとして、着座面及び／又は横臥面の外周面５に設けることもできる。着座面２の縁部４２の上面に、例えば溝状の中空レールとして制御手段を配置することもできる。この中空レールには、背もたれの、着座面２をカバーする下面から突出したピンが係合する。しかしながら上述した両場合では、例えば上述したようなレールの形状の制御手段は、背もたれが存在しないところでは見えるようになっているので、家具のデザイン要素として相応に形成しなければならない。
【００１８】
本発明は背もたれに関して説明しているが、背もたれではなく、または背もたれに加えて付加的に、単数又は複数の肘掛けを本発明に基づき形成し、設けることもできる。
【図面の簡単な説明】
【００１９】
【図１】本発明による２つの背もたれを備えたソファとして形成された家具を示した図である。
【図２】背もたれが図１とは異なる位置にある状態で図１の家具を示した図である。
【図３】背もたれがさらに異なる位置にある状態で図１若しくは図２の家具を示した図である。
【図４】背もたれと、着座面の一部と、制御手段としてのレールとキャリッジの一部とを簡略化して示した側方図である。
【図５】レールと該レールに沿って摺動可能な背もたれを備えたソファの構造体を概略的に示した図である。
【図６】背もたれの一部を示した図である。
【図７】背もたれと制御手段の一部を示した図である。
【図８】キャリッジを示した図である。
【図９】図８のキャリッジのための滑動部材および支持部材を示した図である。
【図１】
2007514453.tif 000003
【図２】
2007514453.tif 000004
【図３】
2007514453.tif 000005
【図４】
2007514453.tif 000006
【図５】
2007514453.tif 000007
【図６】
2007514453.tif 000008
【図７】
2007514453.tif 000009
【図８】
2007514453.tif 000010
【図９】
2007514453.tif 000011
【国際調査報告】
2007514453.tif 000012
2007514453.tif 000013
2007514453.tif 000014
2007514453.tif 000015